(57)【要約】【課題】靴底の装着性と装着後の剥がれにくさを確保しつつ、装着状態において良好な外観体裁が得られる靴を提供することを課題とする。【解決手段】靴本体１の底面５周縁にゴムからなる外周壁６が下方に向けて突設され、該外周壁６の内側に靴底２が着脱自在に取り付けられる靴であって、外周壁６の下端には内方に向けてフランジ７が形成され、靴底２の側面２ｃは外方に向けて凹凸のない平面である。【選択図】      図２
2005040176.tif 000002
【特許請求の範囲】
【請求項１】
靴本体の底面周縁にゴムからなる外周壁が下方に向けて突設され、該外周壁の内側に靴底が着脱自在に取り付けられる靴であって、
外周壁の下端には内方に向けてフランジが形成され、靴底の側面は外方に向けて凹凸のない平面であることを特徴とする靴。
【請求項２】
フランジの内側先端は断面視円弧状に形成されている請求項１記載の靴。
【発明の詳細な説明】
【０００１】
【発明の属する技術分野】
本発明は靴底が交換可能な靴に関する。
【０００２】
【従来の技術】
近年、靴底が靴本体に着脱自在な構成の靴（釣り用靴）がある（下記特許文献１参照）。この靴は、図３のように靴本体５１の底面５２と靴底５３の上面５４にそれぞれ面ファスナー（図示省略）が設けられて、その面ファスナーによって靴底５３を着脱自在に構成したものである。靴本体５１の底面５２周縁には下方に向けて外周壁５５が全周に亘って突設され、その内側に靴底５３が装着される。
【０００３】
しかしながら、従来、靴本体５１に靴底５３を装着すると、図４（イ）及び（ロ）のように、外周壁５５の内面５６と靴底５３の側面５７との間に隙間が空くという問題があった。しかも、この隙間は全周に亘って均一となることは希であり、何れかの所に偏って空くことが多い。即ち、靴本体５１の底面５２よりも靴底５３の上面５４の面積が小さいため、靴底５３を靴本体５１の底面５２の中心に装着することは容易ではなく、隙間が空くこととも相俟って、外観体裁が必ずしも良好とは言えなかった。この隙間は上方からは見えにくいことから、下側部分の外観はこれまであまり気にされなかったが、近年、この種の靴の認知度が高まるにつれて、下側部分の外観体裁についての要望も高まってきた。
【０００４】
この問題の解決案としては、一般に、靴底５３の寸法を拡大したり、逆に靴本体５１の外周壁５５の内側寸法を小さくしたりして、前記隙間をなくす、あるいは狭くすることが考えられる。しかしながら、靴底５３と靴本体５１との寸法差を少なくすると、隙間は減少する一方、靴底５３を確実に装着することが困難になる。即ち、隙間をなくそうとすると、靴本体５１の外周壁の５５の内側に靴底５３を隙間なく嵌合させることが必要になるが、それは一般には極めて困難であって、通常は図４（ハ）のように靴底５３の所定箇所において靴底５３の上面５４の周縁角部が外周壁５５の内面５６に載り上がり、靴底５３の上面５４が部分的に靴本体５１の底面５２と密着しない状態となる。図４（ハ）のように靴底５３が外周壁５５に載り上がると、歩行時等に靴底５３が剥がれやすくなる。靴底５３が部分的にでも剥がれると歩行の妨げになるうえに、特に釣りの場合には、足場の悪い所も多いので危険でもある。従って、従来においては、靴底５３の装着性や装着の確実性、剥がれにくさを優先するために、また、製造管理上の観点から、靴底５３を靴本体５１に比して小さめに作成していたのである。
【０００５】
このような従来の靴に対して、例えば、装着後の靴底５３の剥がれにくさを重視したものも提案されている（下記特許文献２）。この特許文献２における靴は、図５（イ）のように、靴本体５１の外周壁５５の下端を内側に向けて斜めに傾斜させて外周壁５５の上部内側に係合凹部６０を形成する一方、靴底５３の側面５７上部には側方に突出した係合凸部６１を形成したものである。そして、図５（ロ）のように、靴底５３を装着すると、靴底５３の係合凸部６１が靴本体５１の係合凹部６０に係合するため、靴底５３が剥がれにくくなるというものである。
【０００６】
【特許文献１】
特開２０００−１３９５０６号公報
【特許文献２】
特開平８−２０５９０７号公報
【０００７】
【発明が解決しようとする課題】
しかしながら、この靴にあっては、靴底５３の装着性が悪いという問題がある。即ち、靴底５３の側面５７に係合凸部６１が形成されているので、装着時において、外周壁５５の下端に係合凸部６１がひっかかり、容易に装着することができない。また、係合凸部６１と係合凹部６０が互いに係合する構成であるので、装着時に靴本体５１に対して靴底５３が少しでも位置ずれすると上述したような載り上げが多発する。しかも、靴底５３や靴本体５１の寸法バラツキを許容することができないので、製造上生じる寸法バラツキによって載り上げが多発することになる。
【０００８】
何れにしても、従来のこの種の靴にあっては、装着性及び装着後の靴底の剥がれにくさと良好な外観体裁の確保の両立が困難であって、前者を優先する結果、外周壁５５と靴底５３との間に隙間が空くこととなっていたのである。
【０００９】
それゆえに本発明は、上記従来の問題点に鑑みてなされ、靴底の装着性と装着後の剥がれにくさを確保しつつ、装着状態において良好な外観体裁が得られる靴を提供することを課題とする。
【００１０】
【課題を解決するための手段】
本発明は、上記課題を解決すべくなされたものであり、本発明に係る靴は、靴本体の底面周縁にゴムからなる外周壁が下方に向けて突設され、該外周壁の内側に靴底が着脱自在に取り付けられる靴であって、外周壁の下端には内方に向けてフランジが形成され、靴底の側面は外方に向けて凹凸のない平面であることを特徴とする。
【００１１】
特に、フランジの内側先端が断面視円弧状に形成されていることが好ましく、靴底の側面が平面であることと相俟って、靴底の取り付け取り外しがより一層容易となる。
【００１２】
【発明の実施の形態】
以下、本発明に係る靴の一実施形態について、図１及び図２を参酌しつつ、靴本体１に靴底２が着脱自在に取り付け可能な靴について説明する。
【００１３】
図１は、靴の要部の横断面（幅方向に沿った断面）であって、靴本体１は、アッパー部材３と、該アッパー部材３の下側に取り付けられて靴本体１の底部を構成する靴底受け体４とを備えている。該靴底受け体４の下面が靴本体１の底面５となる。靴本体１の底面５周縁には、外周壁６が略全周に亘って下方に向けて突設されている。該外周壁６の突出量は略一定である。尚、外周壁６の一部に切欠が形成されていてもよい。また、靴底受け体４はゴムからなり成形により形成されている。そして、外周壁６も成形により他の部分と一体に形成されている。
【００１４】
この外周壁６の構成について更に詳述に説明する。外周壁６の内面６ａは、靴本体１の底面５に対して略直交している。また、外周壁６の下端には、内方に向けてフランジ７が突設されている。該フランジ７は略全周に亘って形成され、内方への突出量も略均一である。そして、フランジ７の内側先端７ａは、断面視円弧状に形成されている。詳細には、フランジ７の厚さ方向の略中央を頂点とする円弧である。このように、外周壁６の下端に内方に向けてフランジ７が形成されているので、外周壁６の上部内面６ａは、フランジ７の内側先端７ａよりも外方に位置する。
【００１５】
ここで、外周壁６の各部の寸法を例示すると、例えば、外周壁６の突出量は４ｍｍで、フランジ７の突出量は１ｍｍで、フランジ７の厚さは１ｍｍで、フランジ７の内側先端７ａは半径１ｍｍである。即ち、断面視半円状（例えばＲ１）のフランジ７とすることができる。
【００１６】
一方、かかる外周壁６の内側に前記靴底２は装着される。外周壁６で囲まれた靴本体１の底面５が靴底２を取り付けるための取り付け面であり、該靴本体１の底面５と靴底２の上面２ａには互いに着脱可能な面ファスナー（図示省略）が全面に亘って設けられている。尚、面ファスナーは部分的に設けられていてもよい。この靴底２は、例えばフェルトからなり、厚み略一定の板状である。従って、靴底２の上面２ａと下面２ｂは互いに略平行であって、側面２ｃは上面２ａや下面に対して略直交している。また、靴底２の側面２ｃは、外方に凹凸のない平面である。該靴底２は、板状のフェルト原反から打ち抜きにより形成される。尚、靴底２の厚さは、外周壁６の突出量よりも大きく、従って、靴底２を靴本体１に装着すると、靴底２の下面２ｂは外周壁６の下端よりも下方に位置する。
【００１７】
以上のような構成からなる靴は、図２のように靴本体１に靴底２が装着されて使用される。まず、靴底２を装着する際、靴本体１の底面５よりも靴底２の上面２ａの方が小さいので、載り上げを生じさせることなく楽に装着することができる。また、靴本体１の底面５よりも靴底２の上面２ａの方が面積が小さくても、外周壁６にフランジ７が設けられているので、そのフランジ７がガイドとなって靴本体１の底面５に対して偏心することなく容易に底面５の中心に装着することができる。しかも、仮に靴底２が何れかの方向に位置ずれ（偏心）して装着されたとしても外周壁６の上部内面６ａと靴底２の側面２ｃとの間に空間１０を設ける構成であるため、水平方向の位置ずれに対する許容範囲が大きい。即ち、仮に靴底２が位置ずれしても外周壁６が外方に撓んでその位置ずれを許容することができる。そして、靴底２の側面２ｃが平面であるので、位置ずれしても外周壁６の内面６ａに載り上げることなく靴本体１の底面５に確実に装着することができる。また、このような位置ずれに限らず、靴本体１や靴底２の寸法バラツキも同様にして外周壁６のフランジ７で吸収することができる。つまり、靴底２に対して外周壁６の内側寸法が小さく製造されていても、靴本体１の底面５自体の面積は靴底２の面積に対して余裕があるので、外周壁６が外方に撓むことで載り上げが発生することなく靴底２を確実に装着することができるのである。更に、靴底２を装着する際に外周壁６のフランジ７の内側先端７ａが靴底２の側面２ｃをガイドするが、フランジ７の内側先端７ａが断面視円弧状であるので、スムーズに靴底２を装着させることができる。また、靴底２の側面２ｃが平面であって外周壁６の上部内面６ａとの間に空間１０を形成する構成であるので、靴底２の装着の際に外周壁６のフランジ７に靴底２が引っかかってもフランジ７がその空間１０に入り込むようにして上方に撓むことができる。そして、そのように外周壁６が上方に撓んでも、フランジ７の内側先端７ａが断面視円弧状であって靴底２の側面２ｃが平面であるので、外周壁６は容易に元の状態に復帰する。
【００１８】
このようにして靴底２を装着した後においては、外周壁６の下端にフランジ７が形成されているので、外周壁６と靴底２との間の隙間はフランジ７のない場合に比して外見上少ない。しかも、靴底２の靴本体１に対する偏心量が、フランジ７のないものに比して少ないので、その点も相俟って、下側部分の外観体裁が良好なものとなる。
【００１９】
また、装着された靴底２を取り外す際においても、外周壁６の上部内面６ａと靴底２の側面２ｃとの間に空間１０が形成される構成であるので、靴底２を容易に外すことができる。また、靴底２の側面２ｃが平面であることからも靴底２をスムーズに取り外すことができ、しかも、フランジ７の内側先端７ａが断面視円弧状であるので靴底２の側面２ｃとの接触面積が小さく、靴底２をスムーズに取り外すことができる。
【００２０】
尚、靴は長靴であっても、また、ハイカットやローカットのシューズタイプであってもよい。また、靴底２の材質もフェルトには限定されず、種々の材質のものと無論交換装着可能である。
【００２１】
【発明の効果】
以上のように、外周壁の下端にフランジを形成し且つ靴底の側面を平面とすることによって、靴底装着時に外周壁の上部内面と靴底の側面との間に空間を形成すると共にその空間をフランジで部分的あるいは全面的に隠すようにしたので、靴底の装着性と装着後の剥がれにくさを確保しつつも、外周壁と靴底との間の隙間が外見上少なくなって良好な外観体裁が得られる。
【図面の簡単な説明】
【図１】本発明の一実施形態における靴の要部断面図。
【図２】同靴において靴底の装着状態を示す要部拡大断面図。
【図３】従来の靴を示す斜視図。
【図４】（イ）は同靴の要部底面図、（ロ）及び（ハ）は同靴の要部断面図。
【図５】（イ）及び（ロ）は従来の靴の要部断面図。
【符号の説明】
１…靴本体、２…靴底、２ｃ…側面、５…底面、６…外周壁、７…フランジ、７ａ…内側先端、１０…空間
【図１】
2005040176.tif 000003
【図２】
2005040176.tif 000004
【図３】
2005040176.tif 000005
【図４】
2005040176.tif 000006
【図５】
2005040176.tif 000007